(57)【要約】【課題】記録媒体に格納するデータ量の増加を抑制可能なドライブレコーダを提供する。【解決手段】ドライブレコーダ１００は、車両に搭載された撮像部としてのカメラ１０２により取得された画像データを常時記録する常時記録機能と、記録トリガが発生する度に、該記録トリガが発生した時点の前後に亘る時間帯に取得された画像データを記録するトリガ記録機能と、を備えている。そして、常時記録機能のオンオフが切り替え可能である。【選択図】図１
2014032612.tif 000002
【特許請求の範囲】
【請求項１】
車両に搭載された撮像部により取得された画像データを常時記録する常時記録機能と、記録トリガが発生する度に、該記録トリガが発生した時点の前後に亘る時間帯に取得された前記画像データを記録するトリガ記録機能と、
を備え、
前記常時記録機能のオンオフが切り替え可能である、
ことを特徴とするドライブレコーダ。
【請求項２】
前記常時記録機能のオンオフを切り替える制御部と、
動作情報を格納した記録部と、
を有し、
前記制御部が、前記動作情報に基づいて、前記常時記録機能のオンオフを切り替える、
ことを特徴とする請求項１に記載のドライブレコーダ。
【請求項３】
前記動作情報が、前記常時記録機能を使用する時間帯を特定した時間帯情報である、
ことを特徴とする請求項２に記載のドライブレコーダ。
【請求項４】
前記動作情報が、前記常時記録機能を使用する地域を特定した地域情報である、
ことを特徴とする請求項２又は請求項３に記載のドライブレコーダ。
【請求項５】
前記動作情報が、外部機器との通信により書き換えられる、
ことを特徴とする請求項２〜請求項４のいずれか１項に記載のドライブレコーダ。
【発明の詳細な説明】
【技術分野】
【０００１】
本発明は、ドライブレコーダに関する。
【背景技術】
【０００２】
一般的なドライブレコーダは、車両に搭載されて用いられ、事故発生等に伴う衝撃の検知を記録トリガ（即ち、記録開始条件。）として、記録トリガが発生する度に、該記録トリガが発生した時点の前後に亘る時間帯に取得された画像データを記録媒体に格納させるトリガ記録機能を有している（例えば、特許文献１参照。）。
【先行技術文献】
【特許文献】
【０００３】
【特許文献１】特開２０１２―３６０７号公報
【発明の概要】
【発明が解決しようとする課題】
【０００４】
一方、近年では、車載カメラにより取得された画像データを記録媒体に連続的に常時記録する常時記録機能を有するドライブレコーダが用いられる場合がある。
【０００５】
このように画像データを常時記録する場合には、記録媒体に格納するデータ量が多くなるため、記録媒体の記録容量を従来のドライブレコーダよりも大きくする必要がある。このために、常時記録機能を有するドライブレコーダは、製造コストが高くなる虞があった。
【０００６】
本発明は、上述した事情に鑑みてなされたものであり、その目的は、記録媒体に格納するデータ量の増加を抑制可能なドライブレコーダを提供することにある。
【課題を解決するための手段】
【０００７】
前述した目的を達成するために、本発明に係るドライブレコーダは、下記（１）〜（５）を特徴としている。
（１）  車両に搭載された撮像部により取得された画像データを常時記録する常時記録機能と、記録トリガが発生する度に、該記録トリガが発生した時点の前後に亘る時間帯に取得された前記画像データを記録するトリガ記録機能と、
を備え、
前記常時記録機能のオンオフが切り替え可能である、
こと。
（２）  上記（１）の構成のドライブレコーダであって、
前記常時記録機能のオンオフを切り替える制御部と、
動作情報を格納した記録部と、
を有し、
前記制御部が、前記動作情報に基づいて、前記常時記録機能のオンオフを切り替える、
こと。
（３）  上記（２）の構成のドライブレコーダであって、
前記動作情報が、前記常時記録機能を使用する時間帯を特定した時間帯情報である、
こと。
（４）  上記（２）又は（３）の構成のドライブレコーダであって、
前記動作情報が、前記常時記録機能を使用する地域を特定した地域情報である、
こと。
（５）  上記（２）〜（４）のいずれか１つの構成のドライブレコーダであって、
前記動作情報が、外部機器との通信により書き換えられる、
こと。
【０００８】
上記（１）の構成のドライブレコーダでは、常時記録機能のオンオフが切り替え可能である。このため、当該ドライブレコーダの使用目的に適合するように、常時記録機能が利用される状態と、利用されない状態と、が切り替えられて使用され得る。この結果、常時記録機能を利用する時間が従来よりも短くなり、記録媒体に格納するデータ量が従来よりも少なくなり得る。
上記（２）の構成のドライブレコーダでは、記録部に格納された動作情報に基づいて、常時記録機能のオンオフが切り替えられる。このため、ドライブレコーダの動作情報に基づいて、常時記録機能が利用される状態と利用されない状態とが切り替えられて使用される。この結果、常時記録機能を利用する時間が従来よりも短くなり、記録媒体に格納するデータ量が従来よりも少なくなる。
上記（３）の構成のドライブレコーダでは、常時記録機能のオンオフの切り替えに利用される動作情報が、常時記録機能を使用する時間帯を特定した時間帯情報である。このため、当該時間帯情報に基づいて、常時記録機能が利用される状態と利用されない状態とが切り替えられて使用される。この結果、常時記録機能を利用する時間が従来よりも短くなり、記録媒体に格納するデータ量が従来よりも少なくなる。
上記（４）の構成のドライブレコーダでは、常時記録機能のオンオフの切り替えに利用される動作情報が、常時記録機能を使用する地域を特定した地域情報である。このため、当該地域情報に基づいて、常時記録機能が利用される状態と利用されない状態とが切り替えられて使用される。この結果、常時記録機能を利用する時間が従来よりも短くなり、記録媒体に格納するデータ量が従来よりも少なくなる。
上記（５）の構成のドライブレコーダでは、常時記録機能のオンオフの切り替えに利用される動作情報が、外部機器との通信により書き換えられる。このため、ドライブレコーダの利便性が向上する。
【発明の効果】
【０００９】
本発明のドライブレコーダによれば、記録媒体に格納するデータ量の増加を抑制可能なドライブレコーダを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、第１の実施形態に係るドライブレコーダ１００のハードウェアの構成例を示すブロック図である。
【図２】図２は、第１の実施形態に係るドライブレコーダ１００が起動した後の処理ルーチンを表すフローチャートである。
【図３】図３は、第１の実施形態における常時記録機能のオンオフの切り替えを例示する説明図である。
【図４】図４は、第２の実施形態に係るドライブレコーダ２００が起動した後の処理ルーチンを表すフローチャートである。
【発明を実施するための形態】
【００１２】
本発明に係るドライブレコーダの具体的な実施形態について各図を参照しながら以下に説明する。
【００１３】
（第１の実施形態）
本実施形態に係るドライブレコーダ１００は、例えばタクシーや路線バス等の車両に搭載されて用いられる。ドライブレコーダ１００は、概略的には、記録開始条件である記録トリガの発生を検知する度に、当該記録トリガが発生した前後に亘る時間帯に車載カメラにより取得された画像データを記録して収集するトリガ記録機能と、車載カメラにより取得された画像データを連続的に常時記録する常時記録機能と、を有している。そして、トリガ記録機能は常にオン状態とされ、常時記録機能のオンオフが予め設定された条件にしたがって切り替えられて使用される。
【００１４】
図１は、本実施形態に係るドライブレコーダ１００のハードウェアの構成例を示したブロック図である。
図１に示すように、ドライブレコーダ１００は、マイクロコンピュータ（ＣＰＵ：Central Processing Unit）１０１、カメラ１０２、加速度センサ１０３、速度センサ１０４、ＧＰＳ（Grobal Positioning System）受信部１０５、ＳＤＲＡＭ（Synchronous Dynamic Random Access Memory）１０６、ＲＯＭ（Read Only Memory）１０７、ＥＥＰＲＯＭ（Electrically Erasable Programmable Read-Only Memory）１０８、メモリカード１０９、インタフェース１１０、インタフェース１１１、及びインタフェース１１２を備えている。以下では、これら各構成について説明する。
【００１５】
マイクロコンピュータ１０１は、制御部であり、予め用意されたプログラムを実行し、ドライブレコーダ１００の機能を実現するために必要な様々な処理を行う。例えば、後述する図２のフローチャートに示した処理をマイクロコンピュータ１０１が行う。
【００１６】
カメラ１０２は、撮像部としての車載カメラであり、例えば車両室内のインストルメントパネル上部に設置され、車両前方の画像を撮影して画像データをインタフェース１１０を介してマイクロコンピュータ１０１に出力する。
【００１７】
加速度センサ１０３は、加速度情報取得部であり、車両の３軸方向の加速度を検出して、検出した加速度の値をインタフェース１１１を介してマイクロコンピュータ１０１に出力する。
【００１８】
速度センサ１０４は、速度情報取得部であり、車両の速度を検出して、検出した速度の値をインタフェース１１２を介してマイクロコンピュータ１０１に出力する。
【００１９】
ＧＰＳ受信部１０５は、位置情報取得部であり、ＧＰＳ信号を受信して、現在の車両の位置情報をマイクロコンピュータ１０１に出力する。
【００２０】
ＳＤＲＡＭ１０６は、記録部の１つとしてのデータの読み書きが自在のメモリであり、一時的に使用する各種データを保持するために利用される。
【００２１】
ＲＯＭ１０７は、記録部の１つとしての読み取り専用のメモリであり、マイクロコンピュータ１０１が実行すべきプログラムや必要なデータを予め保持している。
【００２２】
ＥＥＰＲＯＭ１０８は、記録部の１つとしての電気的に書き換え可能なメモリであり、マイクロコンピュータ１０１が参照する各種データを保持している。例えば、ＥＥＰＲＯＭ１０８には、後述する図２に示すステップＳ２１でマイクロコンピュータ１０１が参照する、ドライブレコーダ１００の動作情報に関する各種設定値が保持されている。動作情報とは、ドライブレコーダ１００が常時記録機能を発揮するべき条件を定めた情報であり、当該条件はドライブレコーダ１００の使用目的等に合わせて使用者等により定められている。第１の実施形態に係るドライブレコーダ１００では、動作情報として、常時記録機能を使用する時間帯を特定した時間帯情報を利用している。以下、本実施形態に係るドライブレコーダ１００では、常時記録機能を使用する常時記録時間帯として６時〜１０時の時間帯及び１６時〜２０時の２つの時間帯が設定されている例について説明する。
【００２３】
メモリカード１０９は、外部記憶媒体であり、ドライブレコーダ１００に着脱自在に接続され、画像データ等を記録可能に構成されている。また、メモリカード１０９は、例えば事務所システムが備える外部機器（ＰＣ（Personal Computer）等、図示せず。）に着脱自在に取付けられる。これにより、本実施形態に係るドライブレコーダ１００は、外部機器に対してメモリカード１０９を介して画像データ等を伝達する。ドライブレコーダ１００の運用時には、メモリカード１０９はドライブレコーダ１００に接続されている。
【００２４】
次に、ドライブレコーダ１００の動作について説明する。
【００２５】
ドライブレコーダ１００は、前述したように、運用時には、トリガ記録機能が常にオン状態とされ、常時記録機能のオンオフが動作情報にしたがって切り替えられて使用される。より具体的には、トリガ記録機能がオンである状態においては、マイクロコンピュータ１０１は、加速度センサ１０３から受け付けた車両の加速度の値が所定の閾値を超えたと判定する度に（即ち、記録トリガが発生したと判定する度に。）、当該記録トリガが発生した前後に亘る時間帯（例えば、３０秒間。）にカメラ１０２から受け付けた画像データをメモリカード１０９に格納させる。常時記録機能がオンである状態においては、これに加えて、マイクロコンピュータ１０１は、常時、カメラ１０２から受け付けた画像データをメモリカード１０９に格納させる。このとき、マイクロコンピュータ１０１は、トリガ記録機能にしたがって格納された画像データと、常時記録機能にしたがって格納された画像データと、が識別可能となるように、例えばフォルダ分けしてメモリカード１０９に画像データを格納させることが好ましい。
【００２６】
図２は、本実施形態に係るドライブレコーダ１００が起動した後の処理ルーチンを表すフローチャートである。
【００２７】
まず、運転手は、イグニッションスイッチをオンにする。直流電圧（Ｖｃｃ）が供給されたマイクロコンピュータ１０１は、動作を開始する。
【００２８】
ステップＳ２１では、マイクロコンピュータ１０１は、ＥＥＰＲＯＭ１０８に格納されているドライブレコーダ１００の動作情報に関する各種設定値を読み出す。より具体的には、マイクロコンピュータ１０１は、常時記録時間帯として６時〜１０時の時間帯及び１６時〜２０時の２つの時間帯が設定された設定値を読み出す。
【００２９】
ステップＳ２２では、マイクロコンピュータ１０１は、ドライブレコーダ１００に内蔵されているリアルタイムクロック（Real Time Clock、図示せず）から現在の時刻情報を取得する。
【００３０】
ステップＳ２３では、マイクロコンピュータ１０１は、ステップＳ２１で読み出した設定値及びステップＳ２２で取得した現在の時刻情報に基づいて、現時刻が常時記録時間帯の開始時刻に達したか否かを判定する。より具体的には、マイクロコンピュータ１０１は、現時刻が常時記録時間帯の開始時刻である６時又は１６時に達したか否かを判定する。判定の結果、現時刻が常時記録時間帯の開始時刻に達したと判定した場合には、マイクロコンピュータ１０１は、ステップＳ２４の処理を実行する。一方、判定の結果、現時刻が常時記録時間帯の開始時刻に達していないと判定した場合には、マイクロコンピュータ１０１は、再度ステップＳ２２の処理を実行する。
【００３１】
ステップＳ２４では、マイクロコンピュータ１０１は、常時記録機能をオンにして、常時記録を開始する。
【００３２】
ステップＳ２５では、マイクロコンピュータ１０１は、リアルタイムクロックから現在の時刻情報を取得する。
【００３３】
ステップＳ２６では、マイクロコンピュータ１０１は、ステップＳ２１で読み出した設定値及びステップＳ２５で取得した現在の時刻情報に基づいて、現時刻が常時記録時間帯の終了時刻に達したか否かを判定する。より具体的には、マイクロコンピュータ１０１は、現時刻が常時記録時間帯の終了時刻である１０時（ステップＳ２４で６時に達したと判定した場合。）又は２０時（ステップＳ２４で１６時に達したと判定した場合。）に達したか否かを判定する。判定の結果、現時刻が常時記録時間帯の終了時刻に達したと判定した場合には、マイクロコンピュータ１０１は、ステップＳ２７の処理を実行する。一方、判定の結果、現時刻が常時記録時間帯の終了時刻に達していないと判定した場合には、マイクロコンピュータ１０１は、再度ステップＳ２５の処理を実行する。
【００３４】
ステップＳ２７では、マイクロコンピュータ１０１は、常時記録機能をオフにして、常時記録を終了する。
【００３５】
以上説明した一連の処理により、図３に示すように、トリガ記録機能が常にオン状態とされ、常時記録時間帯である６時〜１０時の時間帯及び１６時〜２０時の時間帯においては、常時記録機能がオン状態とされる。即ち、ＥＥＰＲＯＭ１０８に格納された動作情報に基づいて、常時記録機能のオンオフが切り替えられる。
【００３６】
次に、ＥＥＰＲＯＭ１０８に保持された動作情報に関する各種設定値の書き換え方法について説明する。
【００３７】
各種設定値は、ドライブレコーダ１００にＵＳＢ（Universal Serial Bus）接続されたＰＣ（図示せず。）により、当該ＰＣにインストールされた設定ソフトを用いて書き換え可能である。尚、事務所システムが備える外部機器に接続された状態のメモリカード１０９に、変更後の各種設定値が書き込まれ、当該メモリカード１０９がドライブレコーダ１００に接続された場合に、各種設定値が当該変更後の設定値に書き換えられる構成としても構わない。
【００３８】
また、ドライブレコーダ１００が、３Ｇ回線等により事務所システムと通信を行う通信部（図示せず。）を備え、事務所システムとの通信により、各種設定値が書き換え可能である構成としても構わない。或いは、本実施形態に係るドライブレコーダ１００では、予め設定されてＥＥＰＲＯＭ１０８に格納された常時記録時間帯に関する情報を利用する構成としたが、ドライブレコーダ１００が通信部を備えている場合には、現在の車両の位置情報から、現在車両が位置する地域における事故が起こりやすい時間帯を特定し、当該時間帯を常時記録時間帯として用いるように、リアルタイムで常時記録時間帯を追加可能な構成としても構わない。
【００３９】
（第２の実施形態）
次に、第２の実施形態に係るドライブレコーダ２００について説明する。第２の実施形態に係るドライブレコーダ２００は、動作情報として、常時記録機能を使用する地域を特定した地域情報を利用している点で第１の実施形態に係るドライブレコーダ１００と相違する。第２の実施形態に係るドライブレコーダ２００は、各ハードウェアの構成についてはドライブレコーダ１００と同一であるので、各構成にはドライブレコーダ１００における符号と同一の符号を付して説明を省略する。
【００４０】
上述したように、第２の実施形態に係るドライブレコーダ２００は、動作情報として、常時記録機能を使用する地域を特定した情報を利用している。つまり、ＥＥＰＲＯＭ１０８には、常時記録機能を使用する地域を特定した動作情報に関する各種設定値が保持されている。以下、本実施形態に係るドライブレコーダ２００では、常時記録機能を使用する常時記録地域としてＡ地域及びＢ地域の２つの地域が設定されている例について説明する。
【００４１】
ドライブレコーダ２００の動作について説明する。
【００４２】
図４は、第２の実施形態に係るドライブレコーダ２００が起動した後の処理ルーチンを表すフローチャートである。
【００４３】
まず、運転手は、イグニッションスイッチをオンにする。直流電圧（Ｖｃｃ）が供給されたマイクロコンピュータ１０１は、動作を開始する。
【００４４】
ステップＳ４１では、マイクロコンピュータ１０１は、ＥＥＰＲＯＭ１０８に格納されているドライブレコーダ１００の動作情報に関する各種設定値を読み出す。より具体的には、マイクロコンピュータ１０１は、常時記録地域としてＡ地域及びＢ地域の２つの地域が設定された設定値を読み出す。
【００４５】
ステップＳ４２では、マイクロコンピュータ１０１は、ＧＰＳ受信部１０５から現在の車両の位置情報を取得する。
【００４６】
ステップＳ４３では、マイクロコンピュータ１０１は、ステップＳ４１で読み出した設定値及びステップＳ４２で取得した現在の車両の位置情報に基づいて、車両の現在の位置が常時記録地域の内部に位置しているか否かを判定する。より具体的には、マイクロコンピュータ１０１は、車両の現在の位置が、常時記録地域であるＡ地域又はＢ地域の内部に位置しているか否かを判定する。判定の結果、車両の現在の位置が常時記録地域の内部に位置していると判定した場合には、マイクロコンピュータ１０１は、ステップＳ４４の処理を実行する。一方、判定の結果、車両の現在の位置が常時記録地域の内部に位置していないと判定した場合には、マイクロコンピュータ１０１は、再度ステップＳ４２の処理を実行する。
【００４７】
ステップＳ４４では、マイクロコンピュータ１０１は、常時記録機能をオンにして、常時記録を開始する。
【００４８】
ステップＳ４５では、マイクロコンピュータ１０１は、ＧＰＳ受信部１０５から現在の車両の位置情報を取得する。
【００４９】
ステップＳ２６では、マイクロコンピュータ１０１は、ステップＳ４１で読み出した設定値及びステップＳ４５で取得した現在の車両の位置情報に基づいて、車両の現在の位置が常時記録地域の外部に位置しているか否かを判定する。より具体的には、マイクロコンピュータ１０１は、車両の現在の位置が、常時記録地域であるＡ地域（ステップＳ２５でＡ地域に位置すると判定した場合。）又はＢ地域（ステップＳ２５でＢ地域に位置すると判定した場合。）の外部に位置しているか否かを判定する。判定の結果、車両の現在の位置が常時記録地域の外部に位置していると判定した場合には、マイクロコンピュータ１０１は、ステップＳ４７の処理を実行する。一方、判定の結果、車両の現在の位置が常時記録地域の外部に位置していないと判定した場合には、マイクロコンピュータ１０１は、再度ステップＳ４５の処理を実行する。
【００５０】
ステップＳ４７では、マイクロコンピュータ１０１は、常時記録機能をオフにして、常時記録を終了する。
【００５１】
以上説明した一連の処理により、トリガ記録機能が常にオン状態とされ、常時記録地域であるＡ地域及びＢ地域のいずれかの内部に車両が位置する場合には、常時記録機能がオン状態とされる。即ち、ＥＥＰＲＯＭ１０８に格納された動作情報に基づいて、常時記録機能のオンオフが切り替えられる。
【００５２】
以下では、実施形態に係るドライブレコーダ１００及びドライブレコーダ２００の作用及び効果について説明する。
【００５３】
実施形態に係るドライブレコーダ１００（２００）は、車両に搭載された撮像部としてのカメラ１０２により取得された画像データを常時記録する常時記録機能と、記録トリガが発生する度に、該記録トリガが発生した時点の前後に亘る時間帯に取得された画像データを記録するトリガ記録機能と、を備えている。そして、常時記録機能のオンオフが切り替え可能である。
このため、ドライブレコーダ１００（２００）の使用目的に適合するように、常時記録機能が利用される状態と利用されない状態とが切り替えられて使用され得る。例えば、使用者は、事故が多発する地域や時間帯においては常時記録機能を利用して、それ以外の地域や時間帯においては常時記録機能を利用せず、トリガ記録機能のみを利用することができる。この結果、常時記録機能を利用する時間が従来よりも短くなり、記録媒体としてのメモリカード１０９に格納するデータ量が従来よりも少なくなる。
したがって、実施形態に係るドライブレコーダ１００（２００）によれば、記録媒体に格納するデータ量の増加を抑制可能なドライブレコーダを提供できる。これにより、ドライブレコーダに搭載する記録媒体の記録容量を小さくでき、製造コストを低減させることができる。また、記録するデータの総量を少なくすることができるため、事務所ＰＣにおけるデータ取り込みに要する時間を短くできる。
【００５４】
また、実施形態に係るドライブレコーダ１００（２００）は、車両に搭載されたカメラ１０２により取得された画像データを常時記録する常時記録機能と、記録トリガが発生する度に、該記録トリガが発生した時点の前後に亘る時間帯に取得された画像データを記録するトリガ記録機能とを備えている。そして、常時記録機能のオンオフを切り替える制御部としてのマイクロコンピュータ１０１と、動作情報を格納した記録部としてのＥＥＰＲＯＭ１０８と、を有し、マイクロコンピュータ１０１が、ＥＥＰＲＯＭ１０８に格納された動作情報に基づいて、常時記録機能のオンオフを切り替える。
このため、動作情報に基づいて、常時記録機能が利用される状態と利用されない状態とが切り替えられて使用される。この結果、常時記録機能を利用する時間が従来よりも短くなり、記録媒体に格納するデータ量が従来よりも少なくなる。
【００５５】
また、第１の実施形態に係るドライブレコーダ１００では、ＥＥＰＲＯＭ１０８に格納された動作情報が、常時記録機能を使用する時間帯を特定した時間帯情報である。
このため、当該時間帯情報に基づいて、常時記録機能が利用される状態と利用されない状態とが切り替えられて使用される。この結果、常時記録機能を利用する時間が従来よりも短くなり、記録媒体に格納するデータ量が従来よりも少なくなる。
【００５６】
また、第２の実施形態に係るドライブレコーダ２００では、ＥＥＰＲＯＭ１０８に格納された動作情報が、常時記録機能を使用する地域を特定した地域情報である。
このため、当該地域情報に基づいて、常時記録機能が利用される状態と利用されない状態とが切り替えられて使用される。この結果、常時記録機能を利用する時間が従来よりも短くなり、記録媒体に格納するデータ量が従来よりも少なくなる。
【００５７】
また、実施形態に係るドライブレコーダ１００（２００）では、ＥＥＰＲＯＭ１０８に格納された動作情報が、外部機器との通信により書き換えられる。
このため、利便性が高い。
【００５８】
尚、本発明の技術的範囲は、上述した実施形態に限定されるものではない。上述した実施形態は、本発明の技術的範囲内で種々の変形や改良等を伴うことができる。
【００５９】
例えば、実施形態に係るドライブレコーダでは、常時記録機能のオンオフを切り替えるための動作情報として、時間帯情報と地域情報のいずれか一方のみを利用する構成について説明したが、両情報を複合的に用いる構成としても構わない。この場合には、例えば、特定の時間帯において特定の地域内に車両が位置する場合のみに、常時記録機能がオンに切り替えられる構成としてもよいし、或いは、現時刻が特定の時間帯に属すること及び車両の現在の位置が特定の地域に位置することの少なくとも一方の条件が満たされた場合に、常時記録機能がオンに切り替えられる構成としても構わない。
【００６０】
また、実施形態に係るドライブレコーダでは、マイクロコンピュータ１０１が、ＥＥＰＲＯＭ１０８に格納された動作情報に基づいて、常時記録機能のオンオフを切り替える構成としたが、マイクロコンピュータ１０１が、ドライブレコーダに設けられた操作部（例えば、操作スイッチ。図示せず。）から受け付けた信号に基づいて、常時記録機能のオンオフを切り替える構成としても構わない。この場合には、操作部は、使用者により操作される。即ち、使用者の操作にしたがって、常時記録機能のオンオフが切り替えられる構成としても構わない。このような構成によっても、使用者は、事故が多発する地域や時間帯においては常時記録機能を利用して、それ以外の地域や時間帯においては常時記録機能を利用せず、トリガ記録機能のみを利用することができる。
【符号の説明】
【００６１】
１００  ドライブレコーダ
１０１  マイクロコンピュータ
１０２  カメラ
１０３  加速度センサ
１０４  速度センサ
１０５  ＧＰＳ受信部
１０６  ＳＤＲＡＭ
１０７  ＲＯＭ
１０８  ＥＥＰＲＯＭ
１０９  メモリカード
１１０  インタフェース
１１１  インタフェース
１１２  インタフェース
２００  ドライブレコーダ
【図１】
2014032612.tif 000003
【図２】
2014032612.tif 000004
【図３】
2014032612.tif 000005
【図４】
2014032612.tif 000006